(57)【要約】【課題】活着率の高い断根接苗の挿し接ぎ方法を提供し、良質の断根接苗を提供する。【解決手段】接穂を、断根台木に挿し接ぎする断根接苗の挿し接ぎ方法であって、前記台木とする苗木が、子葉に次いで本葉の第１葉及び第２葉を発生したのち断根し、次いで、断根された台木から、前記第１葉を残して前記第１葉を残して前記第２葉を取り除き、除いた第２葉の根元に穴を明けて、ここに前記接穂を挿し接ぎすることを特徴とする断根接苗の挿し接ぎ方法。【選択図】      図２
2005040067.tif 000002
【特許請求の範囲】
【請求項１】
接穂を、断根台木に挿し接ぎする断根接苗の挿し接ぎ方法であって、
前記台木とする苗木が、子葉に次いで本葉の第１葉及び第２葉を発生したのち断根し、
次いで、断根された台木から前記第１葉を残して前記第２葉を取り除き、除いた第２葉の根元に穴を明けて、ここに前記接穂を挿し接ぎすることを特徴とする断根接苗の挿し接ぎ方法。
【請求項２】
請求項１に記載の断根接苗の挿し接ぎ方法において、前記断根接苗は、ウリ科の苗であることを特徴とする断根接苗の挿し接ぎ方法。
【発明の詳細な説明】
【技術分野】
【０００１】
本発明は、断根接苗の挿し接ぎ方法に関し、特に台木の用い方を適切とすることにより、活着率を格別高くするようにした断根接苗の挿し接ぎ方法に関する。
【背景技術】
【０００２】
近年、果菜類の苗木において、根の無い台木に接穂を接ぎ木する断根接木法が開発され、実用化されてきた。例えば、特開平11-313544号公報では、苗木の不必要な枝、葉及び芽を切り取った接穂を、根の上方で切り取った根のない台木に接合し、遮光した断熱材容器内に苗冷剤と保湿シートと接合した苗とを入れ、低温高湿雰囲気の中で活着を行う果菜類の接木育苗法が紹介されている。
【０００３】
接木法としては、切り接ぎ法と、挿し接ぎ法が知られている。切り接ぎでは、台木及び接穂共に斜めにカットし、両カット面をウイッズ（商品名）と呼ばれる接合部品を用いて接続する。挿し接ぎでは、台木の一対の子葉の中間に明けた小さな穴の中に、茎を先鋭化した小さな接穂を挿し込み接ぎ木する。苗木種別等に応じ、適した方法が選択される。一般に、ウリ科のメロンでは、挿し接ぎ法がよく利用される。
【０００４】
しかしながら、上記の如き従来よりの断根接苗における挿し接ぎにあっては、活着率が悪く、特にウリ科、中でも特にメロンにあっては、熟練者が行っても活着率が75%以下と悪く、活着中、又は育苗中に枯死するものもあり、活着後の苗木にあっても、成長が悪く、つれて着果率が低下する等の問題点があった。熟練度を如何に向上させようとも、活着率を80%以上とするのは困難である。
【特許文献１】特開平11-313544号公報、第１頁
【発明の開示】
【発明が解決しようとする課題】
【０００５】
本発明は、断根接苗の挿し接ぎにおいて、活着率を向上し、活着後の苗木にあっても健全に育成でき、成長及び着果率を共に向上させることができる断根接苗の挿し接ぎ方法を提供することを目的とする。
【０００６】
また、従来、挿し接ぎによる活着率が特に劣化していたウリ科のメロンにつき、活着率を向上し、活着後の苗木にあっては健全に育成でき、成長及び着果率を向上することができる断根接苗の挿し接ぎ方法を提供することを目的とする。
【課題を解決するための手段】
【０００７】
上記課題を解決することができる本発明の断根接苗の挿し接ぎ方法は、不必要な枝、葉及び芽を切り取った接穂を、断根台木に挿し接ぎする断根接苗の挿し接ぎ方法であって、
前記台木とする苗木が、子葉に次いで本葉の第１葉及び第２葉を発生したのち断根し、
次いで、断根された台木から前記第１葉を残して前記第２葉を取り除き、除いた第２葉の根元に穴を明けて、ここに前記接穂を挿し接ぎすることを特徴とする。前記断根接苗は、ウリ科の苗である場合、活着率は格別向上する。
【０００８】
本発明では、台木とする苗木が子葉に次いで本葉の第１葉及び第２葉を発生した後断根し、台木とする。次いで、断根した台木を作業場に移し、第１葉を残して第２葉を取り除き、除いた第２葉の根元に串状の針を用いて必要最小限の小さな穴を明け、ここに茎の先端を先鋭化した小さな接穂を挿し接ぐ。第２葉の根元としては、第２葉の発生位置から第１葉の根元にかけての間の位置とするのが好ましい。従って、台木及び接穂の接触部分において台木接触構成が異なり、活着率が格別向上する。台木の採取時期が限定化されている点、第２葉を取り除かねばならない点、さらに台木に明ける穴を必要最小限に抑え、接穂を適切にしなければならない点等において多くの手間を要するが、この手間に見合った以上に活着率が向上する点が本発明の最大のメリットである。
【発明の効果】
【０００９】
本発明によれば、活着率が向上し、活着後の苗木にあっても健全に育成でき、着果率を向上させることができる。
【００１０】
特にウリ科のメロンにあっては、活着率を従来75％以下であったのに対し、85％以上に向上させることができる。
【発明を実施するための最良の形態】
【００１１】
以下、ウリ科のメロンの例を挙げ、本発明を実施するための最良の形態を説明する。図１は、台木の採取方法を示す説明図、図２は、挿し接ぎ方法を示す説明図である。
【００１２】
図１に示すように、本発明の台木１は、苗が子葉２、２を出し、ついで本葉の第１葉３及び第２葉４を出して後、ライン５Ａに沿って根部６から切り外し、接木作業場へ持ち帰り、作業を続ける。
【００１３】
作業場では、ライン５Ｂに沿って本葉の第２葉４を切り取り、図２に示すように、その切り取った位置又は本葉第１葉３の近くに先鋭な竹串のような専用の針で穴７を明ける。一方で、別途小さな接穂８の茎を先鋭化し、接穂８を穴７に対して挿し込み、挿し接ぎ作業を終了する。活着率の更なる向上を目指して、活着剤を塗布することもある。穴７の深さは、その最深部が、子葉２、２の付け根に到達するや否やの点を目途とする。
【００１４】
以上の通りにして製造された断根接苗９は、低温、高湿、遮光環境で一日放置し、活着させて後、移植する。移植までに、低温、高湿、遮光環境で長期保存することもある。
【００１５】
このようにして挿し接ぎされたメロンの断根接苗９は、活着率を85％以上とすることができ、活着後の苗木にあっては健全に育成でき、全体的には着果率の向上までを図ることができる。熟練度に余り関係なく活着率を80%以上とすることができ、熟練度を増せば90%以上とすることができる。表１に、比較例と共に実施例を示す。
【表１】
2005040067.tif 000003
断根接苗９は、断根しているので、接木後に新しい芽を出させることにより、植物の老化が抑えられて、枯れにくい。また、良い根が出るために収穫期に植物の勢いが出、収量アップが望める。
【００１６】
本発明は、メロン、又はウリ科の苗に限定されず、従来挿し接ぎ法で活着率の低かった各科の苗に利用できる。活着率は、前記作業場で接木職人の手により行われているのであるが、各職人の腕に差があっても本発明の方法では、その差に余り関係せず、全体的に活着率を向上させることができる。
【図面の簡単な説明】
【００１７】
【図１】本発明に用いる台木の説明図である。
【図２】本発明で製造された断根接苗の説明図である。
【符号の説明】
【００１８】
１  台木
２  子葉
３  本葉の第１葉
４  本葉の第２葉
５Ａ、５Ｂ  カットライン
６  根部
７  穴
８  接穂
９  断根接苗
【図１】
2005040067.tif 000004
【図２】
2005040067.tif 000005